【手続補正書】
【提出日】平成28年6月9日(2016.6.9)
【手続補正１】
【補正対象書類名】明細書
【補正対象項目名】０１０２
【補正方法】変更
【補正の内容】
【０１０２】
当業者には、本発明の趣旨及び範囲から逸脱することなく本発明の様々な改変及び変更を行い得ることは明らかであり、本発明は本明細書に記載される例示的な実施形態に限定されない点は理解されるはずである。例えば、開示される透明な導電性物品はまた、反射防止コーティング、及び／又は保護ハードコートを含んでもよい。読者は、１つの開示される実施形態の特徴は、特に断らないかぎりは他のすべての開示される実施形態にも適用することが可能であると仮定すべきである。本明細書において参照される、米国特許、特許出願公開、並びに他の特許文献及び非特許文献は、これらが上記の開示と矛盾しないかぎりにおいて参照により援用するものとする。
本発明の実施態様の一部を以下の項目［１］−［２５］に記載する。
［項目１］
複数の第１のフレネルレンズを画定する第１の透光性ファセットが形成された第１のフィルムであって、前記第１のフレネルレンズのそれぞれが第１の面内軸とほぼ平行に延びる、第１のフィルムと、
複数の第２のフレネルレンズを画定する第２の透光性ファセットが形成された第２のフィルムであって、前記第２のフレネルレンズのそれぞれが第２の面内軸とほぼ平行に延び、前記第２のフィルムが、前記第１のフレネルレンズによって透過された光を遮断するように配置された、第２のフィルムと、を備え、
前記第２の面内軸が、前記第１の面内軸と非平行に配置されている、フィルム積層体。
［項目２］
前記第１のフレネルレンズ及び／又は前記第２のフレネルレンズによって透過された光を散乱するように配置されたディフューザーを更に備える、項目１に記載のフィルム積層体。
［項目３］
前記ディフューザーが、１０〜９０％の範囲のヘイズ値を有する、項目２に記載のフィルム積層体。
［項目４］
前記ディフューザーが、前記第１のフィルム及び／又は前記第２のフィルムに組み込まれた、項目２に記載のフィルム積層体。
［項目５］
前記第１の面内軸と前記第２の面内軸とが、２〜９０°の範囲の角度を形成する、項目１に記載のフィルム積層体。
［項目６］
前記複数の第１のフレネルレンズが第１の平均の幅によって特徴付けられ、前記複数の第２のフレネルレンズが前記第１の平均の幅とは異なる第２の平均の幅によって特徴付けられる、項目１に記載のフィルム積層体。
［項目７］
前記複数の第１のフレネルレンズが第１の平均のピッチによって特徴付けられ、前記複数の第２のフレネルレンズが前記第１の平均のピッチとは異なる第２の平均のピッチによって特徴付けられる、項目１に記載のフィルム積層体。
［項目８］
前記第１のフレネルレンズの少なくとも一部、及び前記第２のフレネルレンズの少なくとも一部が、入射する平行光を集束するように構成されている、項目１に記載のフィルム積層体。
［項目９］
前記第１のフレネルレンズの少なくとも一部、及び前記第２のフレネルレンズの少なくとも一部が、入射する平行光を脱集束するように構成されている、項目１に記載のフィルム積層体。
［項目１０］
前記第１のフレネルレンズが、入射する平行光を集束するように構成された正のフレネルレンズと、入射する平行光を脱集束するように構成された負のフレネルレンズとが交互に位置するように配置されている、項目１に記載のフィルム積層体。
［項目１１］
前記正のフレネルレンズと前記負のフレネルレンズとが互いに連続している、項目１０に記載のフィルム積層体。
［項目１２］
前記第１のフレネルレンズが、長さ−幅アスペクト比をそれぞれ有し、前記複数の第１のフレネルレンズの前記アスペクト比がそれぞれ１０よりも大きい、項目１に記載のフィルム積層体。
［項目１３］
前記第１のフレネルレンズが平面図においてそれぞれ直線状であり、前記第２のフレネルレンズが平面図においてそれぞれ直線状であり、前記第１のフレネルレンズと前記第２のフレネルレンズとの組み合わせが、平面図において波状のパターンを生じる、項目１に記載のフィルム積層体。
［項目１４］
第１のほぼ０の傾きから正の傾きが増大して最大の正の傾きとなり、正の傾きが減少して第２のほぼ０の傾きとなって、負の傾きが増大し、負の最大の傾きとなって、負の傾きが減少して、前記第１のほぼ０の傾きとなる傾斜配列に配列された透光性ファセットが形成された構造化表面を備える装飾フィルム物品であって、前記配列が前記構造化表面の少なくとも一部にわたってほぼ途切れなく繰り返し、前記透光性ファセットが、脱集束フレネルレンズと交互に位置する複数の集束フレネルレンズを画定する、装飾フィルム物品。
［項目１５］
前記ファセット、前記集束フレネルレンズ、及び前記脱集束フレネルレンズが、第１の面内軸と概ね平行にそれぞれ延びる、項目１４に記載の物品。
［項目１６］
前記物品の所定の表面上に配置された標示と組み合わされた、項目１４に記載の物品。
［項目１７］
前記ファセット、前記集束フレネルレンズ、及び前記脱集束フレネルレンズが、第１の面内軸と概ね平行にそれぞれ延びており、前記標示が、前記第１の面内軸に対して角度φで配置された第２の面内軸と概ね平行に延びる１つ以上の要素を含み、前記角度φが２〜８８°の範囲であり、前記標示が、前記集束フレネルレンズから軸方向距離Ｄ１の位置に配置され、前記集束フレネルレンズの少なくとも一部が、前記集束フレネルレンズから軸方向距離Ｄ２に位置する焦点を有し、Ｄ１＞（Ｄ２）／１０である、項目１６に記載の物品。
［項目１８］
前記所定の表面が構造化表面である、項目１６に記載の物品。
［項目１９］
前記傾斜配列がほぼ正弦曲線状である、項目１４に記載の物品。
［項目２０］
前記透光性ファセットを覆う低屈折率の平坦化層を更に備える、項目１４に記載の物品。
［項目２１］
前記フレネルレンズが、平面図においてそれぞれ直線状である、項目１５に記載の物品。
［項目２２］
前記フレネルレンズのそれぞれが、波形の経路を画定する、項目１５に記載の物品。
［項目２３］
前記集束フレネルレンズ及び前記脱集束フレネルレンズによって透過された光を散乱するように配置されたディフューザーを更に備える、項目１４に記載の物品。
［項目２４］
前記装飾フィルム物品によって透過された可視光を、その構成色に分離して多色の視覚効果を生じるように構成された可視光回折要素を更に有する、項目１４に記載の物品。
［項目２５］
前記装飾フィルム物品によって透過された可視光を、その構成色に分離して多色の視覚効果を生じるように構成された可視光回折要素を更に有し、
前記可視光回折要素が、前記第１の面内軸と概ね平行な第２の面内軸と概ね平行に延びる、項目１５の物品。
【手続補正２】
【補正対象書類名】特許請求の範囲
【補正対象項目名】全文
【補正方法】変更
【補正の内容】
【特許請求の範囲】
【請求項１】
複数の第１のフレネルレンズを画定する第１の透光性ファセットが形成された第１のフィルムであって、前記第１のフレネルレンズのそれぞれが第１の面内軸とほぼ平行に延びる、第１のフィルムと、
複数の第２のフレネルレンズを画定する第２の透光性ファセットが形成された第２のフィルムであって、前記第２のフレネルレンズのそれぞれが第２の面内軸とほぼ平行に延び、前記第２のフィルムが、前記第１のフレネルレンズによって透過された光を遮断するように配置された、第２のフィルムと、を備え、
前記第２の面内軸が、前記第１の面内軸と非平行に配置されている、フィルム積層体。
【請求項２】
第１のほぼ０の傾きから正の傾きが増大して最大の正の傾きとなり、正の傾きが減少して第２のほぼ０の傾きとなって、負の傾きが増大し、負の最大の傾きとなって、負の傾きが減少して、前記第１のほぼ０の傾きとなる傾斜配列に配列された透光性ファセットが形成された構造化表面を備える装飾フィルム物品であって、前記配列が前記構造化表面の少なくとも一部にわたってほぼ途切れなく繰り返し、前記透光性ファセットが、脱集束フレネルレンズと交互に位置する複数の集束フレネルレンズを画定する、装飾フィルム物品。